(57)【要約】      （修正有）【課題】脚部のむくみ防止や、歩行時の疲労軽減の効果が得られるとともに、歩行時の蹴り出し力をサポートする靴下を提供する。【解決手段】レッグ部１の平編み領域１３の着圧力を、足挿入部１１から足首部１２にかけて上下方向に段階的に強圧にするとともに、前記レッグ部１に、人のふくら脛の膨らみを下側から囲むように、前記平編み領域１３よりも着圧力が高いサポート領域１４を設けた構成とする。【効果】腓腹筋に不要な締付力をかけることなく、下側から持ち上げる力が得られるため、腓腹筋の伸縮を補助して、歩行時の蹴り出し力をサポートすることができる。【選択図】図１
2010100981.tif 000002
【特許請求の範囲】
【請求項１】
レッグ部の平編み領域の着圧力を、足挿入部から足首部にかけて上下方向に段階的に強圧にするとともに、前記レッグ部に、靴下着用者のふくら脛の膨らみを下側から囲むように、前記平編み領域よりも着圧力が高いサポート領域を設けたことを特徴とする靴下。
【請求項２】
前記サポート領域は、靴下着用者のふくら脛の膨らみを覆う脹脛部に近づくにつれて、着圧力を段階的に弱圧にしたことを特徴とする請求項１記載の靴下。
【請求項３】
フット部の着圧力を、かかと部からつま先部にかけて段階的に強圧にしたことを特徴とする請求項１又は２に記載の靴下。
【請求項４】
フット部の足底中央部から内外のくるぶし部付近前方にかけて、非伸縮性領域を設けたことを特徴とする請求項１〜３の何れかに記載の靴下。
【請求項５】
前記サポート領域は、前記レッグ部の脛側部上部を始点として、前記レッグ部の脹脛部下部で交差し、前記フット部の足甲部の付け根部まで延設され、前記非伸縮性領域と連続していることを特徴とする請求項４記載の靴下。
【発明の詳細な説明】
【技術分野】
【０００１】
本発明は、脚部の浮腫みの防止や歩行時の疲労軽減の効果が得られるとともに、歩行時の蹴り出し力をサポートすることができる靴下に関する。
【背景技術】
【０００２】
従来より、足底から足挿入開口を形成する上端部にかけて、脚に対する締付圧力を強から弱に変化させた構成の靴下が提案されている。
【特許文献１】特開２００５−２４０２２２号公報
【０００３】
例えば、上記特許文献１には、最も下方に位置する足首部における締付圧力を２０ｈＰ a〜３０ｈＰａの範囲とし、最も上方に位置する脹脛上部における締付圧力を１１ｈＰａ〜１８ｈＰａの範囲とするとともに、足首部と脹脛上部との間の脹脛中部と脹脛下部において、脹脛下部における締付圧力を足首部における締付圧力よりも弱い１５ｈＰａ〜２３ｈＰａの範囲とし、脹脛中部における締付圧力を脹脛下部における締付圧力よりも弱い１３ｈＰａ〜１９ｈＰａの範囲となるように設定した靴下が開示されている。
【０００４】
この従来の靴下によれば、足底から足挿入開口を形成する上端部にかけて、脚に対する締付圧力を強から弱に変化させているので、脚の浮腫みの抑制や脚にかかる疲労の回復又は軽減を促進する効果が得られるとされている。
【０００５】
また、従来、レッグ部のウェール方向だけでなく、レッグ部の前面の脛側と後面の膨ら脛側のコ−ス方向でも編成方法を異ならせて、静脈血管が多く存在する膨ら脛側を効果的に締め付けるように、脚に対する締付圧力を変化させた構成の靴下も提案されている。
【特許文献２】特開２００６−１０４５９９号公報
【０００６】
例えば、上記特許文献２には、脚部の後面側で第１の着圧を生じさせる第１編組織が配置されると共に、脚部の前面側で前記第１の着圧より弱い第２の着圧を生じさせる第２編組織が配置され、さらに脚部の前記第１編組織と第２編組織との中間部位に前記第１と第２の着圧に対し中間値となる所定着圧を生じさせる第３編組織を配置した構成の靴下が開示されている。
【０００７】
この従来の靴下によれば、足の血行促進が図れ、スムーズな血流による疲労軽減等の効果が得られるとされている。
【発明の開示】
【発明が解決しようとする課題】
【０００８】
ところで、人の下腿部の後ろ側の筋肉は、図３〜図５に示すとおり、腓腹筋３０とヒラメ筋４０に大別され、腓腹筋３０は、内側頭３１と外側頭３２に別れている。内側頭３１は、図３に示すように、大腿骨３３の内側上顆から、外側頭３２は大腿骨３３の外側上顆から起始し、アキレス腱３４を経て、踵骨３５に至っている。
【０００９】
図６は、足関節の底屈（つま先を下げた状態）の動作（ｂ）や、底屈とは逆の背屈（つま先を下げた状態）の動作（ａ）を図示したものである。腓腹筋３０は、図６（ｂ）に示すような、足関節の底屈の動作や、膝関節の屈曲動作に関与する脹脛の筋肉である。
【００１０】
この腓腹筋３０は、図３に示すように、起始が大腿骨３３にある２関節筋であるため、膝が伸展した状態のときに力を発揮し、図６（ｂ）に示す底屈の動作を担っている。
【００１１】
これに対して、ヒラメ筋４０は、腓腹筋３０とは異なり、膝関節の屈曲動作には関与せず、足関節の動作のみに関与している。そして、膝が屈曲した状態のときは、腓腹筋３０の力は弱まるため、膝が屈曲した状態での底屈は、専らヒラメ筋４０が働いている。
【００１２】
図５は、図４のＡ−Ａ’線における切断面であり、ヒラメ筋４０と腓腹筋３０の位置関係を示したものである。図５に示すように、腓腹筋３０は、ヒラメ筋４０よりも外側（皮膚表面に近い側）に位置している。
【００１３】
人は歩行するとき、膝関節の屈曲とともに、足の指と指の付け根付近が地面を捉えて蹴り出す動作を行うときに、図６（ｂ）に示すように、足関節の底屈を頻繁に行う。そのため、歩行動作の中でも特に蹴り出しの動作時には、ヒラメ筋４０よりも腓腹筋３０がよく使われる。
【００１４】
そのため、運動や長時間の歩行等により腓腹筋３０に乳酸が溜まって伸縮が妨げられると、足関節の底屈に影響を及ぼして蹴り出し力が弱くなるため、快適な歩行や運動に支障を来たすことになる。従って、強い蹴り出し力を得て快適な歩行運動を行うためには、腓腹筋３０の伸縮を補助するような着圧構造の靴下が求められる。
【００１５】
ところが、前述した従来の靴下の内、先ず、特許文献１に開示された靴下は、レッグ部の上下方向については段階的な着圧力を特定しているものの、レッグ部の前面の脛側から後面の脹脛にかけてのコ−ス方向では着圧力に変化がないため、腓腹筋３０を必要以上に締め付け過ぎるという問題があった。
【００１６】
また、特許文献２に開示された靴下は、レッグ部のコース方向に異なる着圧が生じるように構成しているものの、専ら血行促進を目的としているため、静脈血管が多く存在する脹脛側に着圧力の高い領域を設けるように構成している。そのため、特許文献２の靴下においては、脹脛側に位置する腓腹筋３０を締め付けることは避けられないという問題があった。
【００１７】
また、特許文献１、２の靴下は、腓腹筋３０自体に余分な締め付けを与えずに、腓腹筋３０を下からサポートする効果を得ることも出来なかった。
【００１８】
本発明が解決しようとする問題点は、従来の靴下では、歩行時の蹴り出し力に関与している腓腹筋に余分な圧力をかけず、且つ、腓腹筋を下側からサポートすることが出来ない点である。
【課題を解決するための手段】
【００１９】
上記の目的を達成するため、本発明の靴下は、
レッグ部の平編み領域の着圧力を、足挿入部から足首部にかけて上下方向に段階的に強圧にするとともに、前記レッグ部に、靴下着用者のふくら脛の膨らみを下側から囲むように、前記平編み領域よりも着圧力が高いサポート領域を設けたことを、最も主要な特徴点としている。
【発明の効果】
【００２０】
本発明の靴下によれば、腓腹筋に余分な締め付け力をかけずに、下からから上へ持ち上げる方向にサポート力が得られるため、歩行時の蹴り出し力に関与している腓腹筋の伸縮を補助することができる。従って、本発明の靴下を着用すれば、快適な歩行運動を促すことができる。
【発明を実施するための最良の形態】
【００２１】
本発明は、脚のむくみ防止や疲労軽減が図れるだけでなく、腓腹筋に余分な圧力をかけず、下側からサポートするという目的を、レッグ部の平編み領域の着圧力を、足挿入部から足首部にかけて上下方向に段階的に強圧にするとともに、前記レッグ部に、靴下着用者のふくら脛の膨らみを下側から囲むように、前記平編み領域よりも着圧力が高いサポート領域を設けることによって実現した。なお、「着圧力」とは、靴下の編地がコース方向に脚部を締め付ける締付力のことをいう。
【００２２】
本発明では、前記サポート領域は、靴下着用者のふくら脛の膨らみを覆う脹脛部に近づくにつれて、着圧力を段階的に弱圧にする方がより望ましい。着圧力を段階的に弱圧にすれば、ふくら脛の膨らみの形状により追従し、サポート領域の編地が突っ張ったりすることもないからである。
【００２３】
また、脚の浮腫みを防止し、疲れ難くするためには、レッグ部だけではなく、フット部においても血流を促進する必要がある。そこで、本発明の靴下は、フット部の着圧力を、かかと部からつま先部にかけて段階的に強圧にすることが望ましい。
【００２４】
また、人の足の裏には、縦足弓と横足弓からなる足底のアーチ構造があり、バネのような役割を果たして歩行接地時の衝撃を緩和するとともに、体重を足全体に分散させ、体重移動をスムーズにする役目を果たしている。ところが、ハイヒールによるつま先立ちの状態や、硬い革靴を履いた歩行が長時間続くと、縦足弓を維持していた底側踵舟靭帯や長足底靭帯が過伸した状態が継続される結果、縦足弓のアーチが下がってしまい、正常な曲線を保ち難くなる。そのため、縦足弓の縦方向のアーチの形状が保てなくなると、歩行時の衝撃吸収効果が充分に得られないため、正常な歩行運動が行えず、足の疲れや特定部分に痛みが発生する原因となる。
【００２５】
そこで、本発明では、腓腹筋だけではなく、足底アーチのサポートも図れるように、フット部の足底中央部から内外のくるぶし部付近前方にかけて、非伸縮性領域を設ける方がより望ましい。非伸縮性領域が足底アーチを上方に引き上げる方向にサポートし、足底アーチの降下を極力防止することができるからである。
【実施例】
【００２６】
以下、本発明の靴下及びその製造方法の最良の形態を、図１〜図２、図７〜図１１を用いて説明する。図１は、右足用の本発明の靴下を側面方向から見た説明図で、（ａ）は内側の側面を（ｂ）は外側の側面を表した図、図２（ａ）は、同靴下を正面の方向から見た説明図、図２（ｂ）は、同靴下を背面の方向から見た説明図、図７〜図９は、本発明の靴下のサポート領域の編み組織の構造の一例を説明する図、図１０は、本発明の靴下の脹脛部の編み組織の一例を説明する図、図１１は、本発明の靴下のレッグ部を構成する平編みの一例を説明する図である。
【００２７】
図１に示すように、本実施例の靴下Ｓは、靴下編機により編成されたものであり、通常の靴下と同様、レッグ部１とフット部２により構成されている。図１（ｂ）において、レッグ部１は、Ａ−Ａ’線よりも上方の足挿入部１１と、Ｂ−Ｂ’線とＣ−Ｃ’線の間の足首部１２と、Ａ−Ａ’線とＢ−Ｂ’線の間の筒状部とで構成される。
【００２８】
Ａ−Ａ’線とＢ−Ｂ’線の間の筒状部の前面側は、図１（ｂ）に示すように、脛側部上部１６ａ、脛側部下部１６ｂからなる。他方、後面側は、靴下着用者のふくら脛の膨らみ部分を覆う脹脛部１７ａと、脹脛部下部１７ｂと、足首部上部１７ｃからなる。図１において、模様を付していない領域は、平編み領域１３を表している。
【００２９】
そして、本発明において最も特徴的な構成は、レッグ部１の平編み領域１３の着圧力を、足挿入部１１から足首部１２にかけて上下方向に段階的に強圧にするとともに、レッグ部１に、靴下着用者のふくら脛の膨らみを下側から囲むように、平編み領域１３よりも着圧力が高いサポート領域１４を設けた点にある。
【００３０】
本発明の靴下は、通常の靴下に比べてより肌に密着することから、着用感を考慮し、肌に優しい天然繊維を用いることが望ましく、かつ、吸放湿性や消臭性を兼ね備えている繊維が最も良い。本実施例の靴下Ｓは、これらの兼ね備えた繊維素材として、ウール糸を用いている。
【００３１】
本実施例の靴下Ｓは、通常の靴下編機を使用し、表糸と裏糸によって編成されている。裏糸は、編み立て性が良く、着圧力の調整が容易であるＦＴＹを用いることが望ましい。ＦＴＹとは、ポリウレタン繊維にナイロン繊維又はポリエステル繊維をカバーリングした一般的に靴下の裏糸と用いられている繊維である。また、靴下全体にゴム糸を編み込むことにより、通常の靴下よりも着圧力を向上させている。
【００３２】
そして、レッグ部１の平編み領域１３の着圧力を、足挿入部１１から足首部１２にかけて上下方向に段階的に強圧にするための手段として、本実施例の靴下Ｓでは、ゴム糸の送入量と度目密度を調整する方法を採用し、足首部１２から足挿入部１１にかけて１コースを１単位として脚部の肌に対する着圧力（締付力）を徐々に弱くしている。また、レッグ部自体の形状も、図１に示すように、足首部１２側の径を細くし、足挿入部１１側の径を太くして、テーパを設け、足挿入部１１側の締め付けを弱くしている。
【００３３】
なお、ゴム糸の送入量は、１コースあたりの送入量が少ないほど着圧力（締付力）が高くなり、度目密度は、密度を高くするほど着圧力（締付力）が高くなるが、ゴム糸の送入量を調整するよりも、度目密度を調整の方が着圧力への影響が高い。そこで、本実施例の靴下Ｓでは、人の脚部の形状を考慮しつつ、度目密度について重点的に調整を行うこととした。
【００３４】
具体的には、足挿入部１１から足首部１２にかけてゴム糸の送入量は徐々に少なくする一方で、度目密度は徐々に高くしている。このような構造にすることにより、血流を適度に上部へ押し上げる機能を補助する効果が働き、脚の浮腫みを防止し、疲れ難くすることができる。また、引き締まった美しい脚の形状を保つこともできるので、女性用靴下としても好適である。
【００３５】
また、脚の浮腫みを防止し、疲れ難くするためには、脚部だけではなく、足裏の血流も促進する必要がある。そこで、本実施例の靴下Ｓは、上記と同様の方法により、フット部２の着圧力を、かかと部２１からつま先部２２にかけて段階的に強圧にし、足裏の血行を促進することにより、浮腫み防止効果を高めている。
【００３６】
レッグ部１の平編み領域１３の着圧力を足挿入部１１から足首部１２にかけて上下方向に段階的に強圧にする構成を採用することにより、立ち仕事をする際の浮腫み防止、歩行運動時の疲労軽減の効果が得られるが、これだけでは、ふくら脛への無意味な圧迫が避けられず、腓腹筋の動きを妨げることになり、蹴り出し力をサポートすることができない。そこで、本発明の靴下は、上記の構成に加え、レッグ部１に、靴下着用者のふくら脛の膨らみを下側から囲むように、平編み領域１３よりも着圧力が高いサポート領域１４を設けたのである。これによって、腓腹筋を過度に締め付けることなく、下からから上へ持ち上げる方向にサポート力が付与されるので、歩行時の蹴り出し力が良好となる。
【００３７】
次に、サポート領域１４の編み組織について、説明する。本実施例の靴下Ｓは、靴下Ｓ全体としては大きく分けて５つの異なる編み組織の領域が存在する。具体的には、図１において、領域１４ａ、１４ｂ、１４ｃはタック編み、領域１５はメッシュ編み、領域１３は平編みで編成されている。領域１４ａ、１４ｂ、１４ｃのタック編みは、糸使いや編成パターンを変えることにより、伸縮性に変化を持たせている。
【００３８】
図７〜図１１は、領域１４ａ、１４ｂ、１４ｃ、領域１５、領域１３の順に、それぞれ編み組織を図示したものである。各図において、Ｖは、表糸（２／７２ウール糸）を、Ｗは、裏糸（２０／７５ＦＴＹ）を、Ｘは、ゴム糸を、Ｙは、柄糸（７０／２ウーリーナイロン）を表している。
【００３９】
領域１４ａは、図７に示すとおり、表糸Ｖ、裏糸Ｗ、ゴム糸Ｘ、柄糸Ｙを用い、「２コース平編み・２コースタック編み」を編成単位として編まれており、最も強い着圧力（締付力）が得られる。
【００４０】
領域１４ｂは、図８に示すとおり、表糸Ｖ、裏糸Ｗ、ゴム糸Ｘ、柄糸Ｙを用い、「１コース平編み・１コースタック編み」を編成単位として編まれており、中程度の着圧力（締付力）が得られる。
【００４１】
領域１４ｃは、図９に示すとおり、領域１４ａと同様に「２コース平編み・２コースタック編み」を編成単位としているが、柄糸Ｙが編み込まれておらず、編み組織の伸縮が制限されないため、結果的に領域１４ｂよりも着圧力（締付力）は弱くなる。
【００４２】
領域１５は、ふくら脛を覆う部分であり、図１０に示すとおり、表糸Ｖ、裏糸Ｗ、ゴム糸Ｘからなるメッシュ編みの構造としている。領域１３は、図１１に示すとおり、一般的な平編みにより編成している。
【００４３】
このように、本実施例では、靴下着用者のふくら脛の膨らみを覆う脹脛部１５に近づくにつれて、サポート領域１４の着圧力を、領域１４ａ、１４ｂ、１４ｃの順に段階的に弱圧にし、さらに領域１５、領域１３の順に着圧力を弱くしたので、サポート領域１４の編地が突っ張らず、ふくら脛の膨らみの形状に追従して、ふくら脛部を覆い込むことができる。よって、腓腹を下側から支えるサポート力も、より好適なものとなる。
【００４４】
なお、本実施例では、上記の通り領域１４ａ、１４ｂ、１４ｃ、領域１５、領域１３の５段階の着圧としたが、本発明では、６段階以上とすることも可能である。但し、６段階以上とすると、編み組織が複雑化し、編み立て効率の低下や不良品の発生を招く可能性が高くなるため、生産性及び品質保証の観点からは、本実施例のように５段階とすることが最も望ましい。
【００４５】
なお、靴下編機の性質上、レッグ部１の上下方向の着圧力を段階的に変化させることは比較的容易であるものの、サポート領域１４のように、斜めに横断する形で着圧力の高い部分を設けることは、編機に負担をかけることになるため、生産性と不良品の発生に注意する必要がある。
【００４６】
図２（ａ）は、本実施例の靴下Ｓを正面の方向から見た説明図、図２（ｂ）は、同靴下を背面の方向から見た説明図である。
【００４７】
人の足の裏には、縦足弓と横足弓からなる足底のアーチ構造があり、バネのような役割を果たして歩行接地時の衝撃を緩和するとともに、体重を足全体に分散させ、体重移動をスムーズにする役目を果たしている。しかし、ハイヒールによるつま先立ちの状態や、硬い革靴を履いた歩行が長時間続くと、縦足弓を維持していた底側踵舟靭帯や長足底靭帯が過伸した状態が継続される結果、縦足弓のアーチが下がってしまい、正常な曲線を保ち難くなる。そのため、縦足弓の縦方向のアーチの形状が保てなくなると、歩行時の衝撃吸収効果が充分に得られないため、正常な歩行運動が行えず、足の疲れや特定部分に痛みが発生する原因となる。
【００４８】
そこで、本実施例では、腓腹筋だけではなく、足底アーチのサポートも図れるように、図１〜図２に示すように、フット部２の足底中央部２３から内外のくるぶし部２４付近の前方にかけて、非伸縮性領域２５を設けている。
【００４９】
この非伸縮性領域２５は、前述したサポート領域１４の中で最も着圧力が高い領域１４ａと同一の編み組織としている。このような非伸縮性領域２５を設けたので、実施例の靴下Ｓでは、足底アーチを上方に引き上げる方向にサポート力が働き、足底アーチの降下を極力防止することができる。
【００５０】
また、本実施例では、サポート領域１４は、レッグ部１の脛側部上部１６ａの中央部１６ａａを始点として左右に分かれて斜め下方向に延設され、徐々に水平に近づくように曲線を描いてレッグ部１の脹脛部下部１７ｂの中央部１７ｂｂで交差し、再び左右に分かれてフット部２の足甲部２６の付け根部２７まで延設され、非伸縮性領域２５と連続している。
【００５１】
このように、非伸縮性領域２５とサポート領域１４を一体化すれば、足底アーチの引き上げ力を向上させることができる上、歩行時の足を前方に踏み出す動作の際に、足甲部２６の付け根付近２７を引き上げる効果も得られ、図６（ａ）に示すような、背屈（つま先を下げた状態）の動作もサポートできるので、好適である。
【００５２】
また、上記のように、非伸縮性領域２５とサポート領域１４を一体化させる場合、足甲部２６の付け根部２７の柔軟性が若干損なわれるため、本実施例では、付け根部２７にタックを設けている。こうすることにより、靴下Ｓの周方向に数本の筋が設けられるため、歩行に伴って付け根部２７の角度（レッグ部１とフット部２のなす角度）が広くなったり狭くなったりする動作に追従し易くなるので、好適である。
【００５３】
さらに進んで、本発明の靴下が歩行時の蹴り出し力をサポートするだけではなく、脚のむくみ抑制効果も有することを確認するために行った試験の方法及び結果について説明する。以下の試験では、図１に示す本発明の靴下の実施品の一例を「実施例」、サポート領域や着圧力を段階的に変化させる構成を有していない従来の靴下の一例を「比較例」としている。むくみ計測試験は、以下の条件及び方法により実施した。
【００５４】
（計測条件）
被験者  ：２０代の事務職員の女性３名（以下、被験者Ａ、Ｂ、Ｃと表示）
計測部位：ふくらはぎ囲、足首囲、インステップ囲（土踏まず付近の周囲長）を測定した。
【００５５】
（計測方法）
１）  就業前の朝、素足の状態で上記各計測部位の周囲長を測定（単位ｍｍ）。
２）  各被験者が、実施例、比較例の靴下を、それぞれ業務時間中６時間着用後、再度上記計測部位の周囲長を測定（単位ｍｍ）。
３）  むくみ量として、上記１）と２）の測定値の差異を求めた。被験者Ａ、Ｂ、Ｃについて、実施例と比較例の試験結果は、夫々、以下の表１〜表３に示すとおりとなった。また、測定部位毎に、表１〜表３の結果の平均値を求めたものを、表４とした。
【００５６】
【表１】
2010100981.tif 000003
【００５７】
【表２】
2010100981.tif 000004
【００５８】
【表３】
2010100981.tif 000005
【００５９】
【表４】
2010100981.tif 000006
【００６０】
表４に示すとおり、実施例と比較例の差異は、被験者３名の平均値で見ると、ふくらはぎ周囲−１．７ｍｍ、足首囲−１．４ｍｍ、インステップ囲−４．７ｍｍとなった（いずれも小数第２位を四捨五入）。このことは、本発明の靴下が、従来の靴下と比較して、いずれの部位においても、むくみ抑制効果が高いことを示している。
【００６１】
本発明は上記の例に限らず、各請求項に記載された技術的思想の範囲内で、適宜実施の形態を変更しても良いことは言うまでもない。たとえば、図１の実施例では、サポート領域１４の領域１４ａ、１４ｂ、１４ｃの形状が、脛側の方が細幅で、脹脛側の方が幅広となるように構成しているが、領域１４ａ、１４ｂ、１４ｃの形状はこれに限らない。
【００６２】
以上説明したように、本発明の靴下は、レッグ部の平編み領域の着圧力を、足挿入部から足首部にかけて上下方向に段階的に強圧にするとともに、前記レッグ部に、靴下着用者のふくら脛の膨らみを下側から囲むように、前記平編み領域よりも着圧力が高いサポート領域を設けたことにより、腓腹筋を締め付けることなく、下側から持ち上げることができるので、腓腹筋の伸縮を補助して歩行時の蹴り出し力をサポートすることができる。従って、本発明の靴下を着用すれば、快適な歩行運動を促すことができる。
【産業上の利用可能性】
【００６３】
本発明の靴下は、ハイソックス、オーバー・ニー・ソックス等にも適用できるものである。
【図面の簡単な説明】
【００６４】
【図１】右足用の本発明の靴下を側面方向から見た説明図で、（ａ）は内側の側面を（ｂ）は外側の側面を表した図である。
【図２】（ａ）は、図１の靴下を正面の方向から見た説明図、（ｂ）は、同靴下を背面の方向から見た説明図である。
【図３】人の下腿部の後ろ側の筋肉である腓腹筋の説明図である。
【図４】人の下腿部の後ろ側の筋肉であるヒラメ筋の説明図である。
【図５】図４のＡ−Ａ’線における切断面であり、ヒラメ筋と腓腹筋の位置関係を示したものである。
【図６】（ａ）は、足関節の背屈（つま先を下げた状態）の動作の説明図、（ｂ）は、足関節の底屈（つま先を下げた状態）の動作の説明図である。
【図７】実施例の靴下のサポート領域の中で、最も着圧力を強くする領域の編み組織を説明する図である。
【図８】実施例の靴下のサポート領域の中で、中程度の着圧力とする領域の編み組織を説明する図である。
【図９】実施例の靴下のサポート領域の中で、最も着圧力の弱くする領域の編み組織を説明する図である。
【図１０】実施例の靴下の脹脛部の編み組織を説明する図である。
【図１１】実施例の靴下の平編み領域の編み組織を説明する図である。
【符号の説明】
【００６５】
Ｓ    靴下
１    レッグ部
１１  足挿入部
１２  足首部
１３  平編み領域
１４  サポート領域
１４ａ  タック編み領域（２コース平編み・２コースタック編み・柄糸）
１４ｂ  タック編み領域（１コース平編み・１コースタック編み・柄糸）
１４ｃ  タック編み領域（２コース平編み・２コースタック編み）
１５  脹脛部（メッシュ編み領域）
１６ａ  脛側部上部
１６ｂ  脛側部下部
１７ａ  脹脛部
１７ｂ  脹脛部下部
１７ｃ  足首部上部
２    フット部
２１  かかと部
２２  つま先部
２３  足底中央部
２４  くるぶし部
２５  非伸縮性領域
２６  足甲部
２７  付け根部
【図１】
2010100981.tif 000007
【図２】
2010100981.tif 000008
【図３】
2010100981.tif 000009
【図４】
2010100981.tif 000010
【図５】
2010100981.tif 000011
【図６】
2010100981.tif 000012
【図７】
2010100981.tif 000013
【図８】
2010100981.tif 000014
【図９】
2010100981.tif 000015
【図１０】
2010100981.tif 000016
【図１１】
2010100981.tif 000017